(57)【特許請求の範囲】
【請求項１】
ネットワークを介して他の機器と通信し利用者が嗜好する番組を推薦する番組推薦機器であって、
少なくとも、送受信場所の情報と送受信日時の情報とを含む、前記利用者の嗜好情報を他の機器と送受信する通信装置と、
該通信装置を介して前記他の機器から受信した、前記他の機器の利用者の嗜好情報を、
前記他の機器を一意に識別する識別情報と対応付けて保存する嗜好情報管理データベースと、
前記嗜好情報管理データベースに保存した前記他の機器の利用者の嗜好情報に共通して含まれる文字列を共通キーワードとして抽出する嗜好情報変換処理部と、
該嗜好情報変換処理部で抽出された共通キーワードに基づき視聴する番組を利用者に推薦する番組管理処理部と、
該番組管理処理部で推薦された番組を受信する受信装置と、
該受信装置で受信された番組を表示するために出力する出力装置
を有することを特徴とする番組推薦機器。
【請求項２】
請求項１に記載の番組推薦機器であって、
前記嗜好情報が、前記番組推薦機器の利用者の行動履歴情報、前記通信装置から供給された前記番組推薦機器における利用者の登録情報、または前記通信装置から供給された他の番組推薦機器における他の利用者の登録情報であることを特徴とする番組推薦機器。
【請求項３】
請求項１に記載の番組推薦機器において、
前記ネットワークを介して接続された他の機器は、前記嗜好情報を格納して前記番組推薦機器と通信する携帯電話／パーソナルコンピュータ／ゲーム機をはじめとする嗜好情報通信機器、前記嗜好情報を他の機器から供給されて集約するパーソナルコンピュータ／サーバをはじめとする嗜好情報集約機器、またはレコーダ／テレビ／携帯電話／ゲーム機をはじめとする他の番組推薦機器であることを特徴とする番組推薦機器。
【発明の詳細な説明】
【技術分野】
【０００１】
本発明は、利用者の嗜好に沿った番組を推薦するための番組推薦機器、嗜好情報通信機器、嗜好情報集約機器、及び放送受信システムに関する。
【背景技術】
【０００２】
近年、地上波だけでなく、衛星放送、ケーブル、インターネットなどを利用したテレビ放送の増加に伴い、放送番組の数が増えてきた。そのため、多くの番組の中から視聴者の好みに合った番組を選択し表示する方法が提案されている。例えば特許文献１では、利用者の視聴履歴から利用者の好みにあった番組を表示する技術が開示されている。
【先行技術文献】
【特許文献】
【０００３】
【特許文献１】特開２００１−２７５０４８号公報
【発明の概要】
【発明が解決しようとする課題】
【０００４】
しかしながら、前記特許文献１では、利用者の視聴履歴を用いて番組を推薦できるが、視聴履歴以外の情報を用いて推薦することは考慮されておらず、利用者の嗜好を反映するうえでは必ずしも充分でなかった。
本発明は、上記事情を鑑みてなされたものであり、本発明の目的は、利用者の嗜好に沿った番組を推薦するための番組推薦機器、嗜好情報通信機器、嗜好情報集約機器、及び放送受信システムを提供することにある。
【課題を解決するための手段】
【０００５】
上記目的を達成するための手段は、例えば特許請求の範囲に開示されている。
【発明の効果】
【０００６】
本発明によれば、利用者の嗜好に沿った番組を推薦するための番組推薦機器、嗜好情報通信機器、嗜好情報集約機器、及び放送受信システムを提供でき、利用者が番組を視聴する際の満足度を向上できるという効果がある。
【図面の簡単な説明】
【０００７】
【図１】本発明の実施形態１における利用形態を示すブロック図である。
【図２】本発明の実施形態１における番組推薦機器のブロック図である。
【図３】本発明の実施形態１における嗜好情報通信機器のブロック図である。
【図４】本発明の実施形態１における番組推薦処理の手順を示すフロー図である。
【図５】本発明の実施形態１における番組推薦機器の表示を示す図である。
【図６】本発明の実施形態２における利用形態を示すブロック図である。
【図７】本発明の実施形態３における利用形態を示すブロック図である。
【図８】本発明の実施形態３における番組推薦機器のブロック図である。
【図９】本発明の実施形態３における嗜好情報通信機器のブロック図である。
【図１０】本発明の実施形態３における利用者情報の登録処理の手順を示すフロー図である。
【図１１】本発明の実施形態３における第１の嗜好情報管理データベースを示す図である。
【図１２】本発明の実施形態３における嗜好情報通信機器が他の嗜好情報通信機器と嗜好情報を送受信する際の処理手順を示すフロー図である。
【図１３】本発明の実施形態３における第２の嗜好情報管理データベースを示す図である。
【図１４】本発明の実施例３における番組推薦処理の手順を示すフロー図である。
【図１５】本発明の実施形態４における利用形態を示すブロック図である。
【図１６】本発明の実施形態５における番組推薦処理の手順を示すフロー図である。
【図１７】本発明の実施形態７における利用形態を示すブロック図である。
【図１８】本発明の実施形態７における嗜好情報集約機器のブロック図である。
【図１９】本発明の実施形態７における番組推薦処理の手順を示すフロー図である。
【発明を実施するための形態】
【０００８】
以下、本発明を実施するための形態について図面を参照して詳述する。なお、図面において、同一符号は、同一または相当部分を示す。また、本発明は、図示例に限定されるものではない。
【実施例１】
【０００９】
本発明に係る実施形態１を、図１、図２、図３、図４、図５を用いて説明する。
実施形態１は、利用者の嗜好情報を外出先で収集し、収集した嗜好情報を外出先から家庭内にある番組推薦機器に送信する場合を想定している。
【００１０】
図１は、本発明の実施形態１における利用形態を示すブロック図である。１は本発明に係る番組推薦機器、２は嗜好情報通信機器である。嗜好情報通信機器２は利用者３により外出先に携帯され、その先々で利用者３の嗜好情報を収集する。嗜好情報通信機器２は利用者３の外出先からネットワーク４を介して番組推薦機器１に接続され、収集した嗜好情報を番組推薦機器１に送信する。
【００１１】
番組推薦機器１の例としては、番組推薦機能を備えたレコーダが望ましいが、同様の機能を備えたテレビ、携帯電話、ゲーム機などの機器であっても本発明の効果は同様である。上記テレビ、携帯電話、ゲーム機を用いる場合は、利用者が推薦番組の一覧を確認し、いつ視聴可能か判断できる。レコーダを用いる場合は、録画済の番組一覧に推薦番組があれば、上記の利点に加えて利用者がすぐに視聴できる。
また、嗜好情報送信機器２の例としては、携帯電話を始めとした携帯可能なノートＰＣやゲーム機などがある。携帯可能な上記機器を用いる場合、利用者が常に持ち歩くことで様々な嗜好情報を入手できるという利点がある。
【００１２】
図２は、本発明の実施形態１における番組推薦機器１の一例を示すブロック図である。
番組推薦機器１は、通信装置２１、入力装置２２、受信装置２３、出力装置２４、制御装置２５と記録装置２６を有している。
【００１３】
通信装置２１は、インターネットをはじめとするネットワーク４を介して嗜好情報通信機器２と通信を行い、また、通信内容を制御装置２５に転送する装置である。ネットワーク４への接続手段は、無線ＬＡＮ（Local Area Network）、移動通信網による無線接続、あるいは、有線接続を用いる。無線ＬＡＮ、移動通信網による無線接続を用いた場合は、通信エリア内であれば、番組推薦機器１を自由に設置できる。入力装置２２は、利用者が番組推薦機器１を操作するインタフェースである。入力装置の例としては、ボタン、スイッチ、ダイヤル、マウス、キーボード、タッチパネル、リモートコントローラなどがある。
【００１４】
受信装置２３は、放送データを受信し、利用者が視聴可能な形式に信号処理する装置である。なお、放送データはＵＨＦアンテナ、ＶＨＦアンテナ、インターネット回線、ケーブルテレビ回線などを介して受信する。出力装置２４は、受信装置２３で信号処理された映像や文字情報、操作のためのユーザーインターフェース画面を出力する装置である。出力先の例としては、液晶ディスプレイモニタ、プラズマディスプレイモニタ、有機ＥＬディスプレイモニタ、タッチパネルディスプレイモニタなどがある。制御装置２５は、番組推薦機器１の動作を制御する装置である。記録装置２６が保持している処理プログラムを実行し、番組推薦機器１の機能を実現する。
【００１５】
記録装置２６は、嗜好情報管理処理部２６１、嗜好情報管理データベース２６２、嗜好情報変換処理部２６３、番組管理処理部２６４を有している。嗜好情報管理処理部２６１は、後述する番組管理処理部２６４が推薦した番組の表示順番を決める処理部である。表示順番としては、推薦番組の日付などがある。
嗜好情報管理データベース２６２は、利用者の嗜好情報を保存する保存領域である。嗜好情報変換処理部２６３は、利用者の嗜好情報をキーワードに変換する処理部である。本実施例では、嗜好情報として、例えば利用者の行動履歴を用いる。番組管理処理部２６４は嗜好情報管理データベース２６２に保存されたキーワードから番組を推薦する処理部である。
【００１６】
図３は、本発明の実施形態１における嗜好情報通信機器２の一例を示すブロック図である。
嗜好情報通信機器２は、通信装置３１、入力装置３２、出力装置３３、制御装置３４、記録装置３５、嗜好情報測定装置３６を有している。
【００１７】
通信装置３１は、インターネットをはじめとするネットワーク４を介して番組推薦機器１と通信を行い、また通信内容を制御装置３４に転送する装置である。ネットワーク４への接続手段は、例えばホットスポットを使う無線ＬＡＮ（Local Area Network）や移動通信網による無線接続、あるいは、有線接続を用いる。ホットスポットを用いた場合は駅、空港、ホテルなどホットスポットを使えるエリアでの通信に限られるが、ホットスポットエリアで利用者が番組推薦機器１との通信開始を明示的に指示する場合は、嗜好情報通信機器２の消費電力を節約できる。移動通信網を用いた場合は携帯電話のように通信エリアが広く高速移動中も通信可能であるため、嗜好情報通信機器２が収集した嗜好情報をリアルタイムで番組推薦機器１に送信できる。
【００１８】
入力装置３２は、利用者が嗜好情報通信機器を操作するためのインタフェース装置である。インタフェース装置の例としては、ボタン、スイッチ、ダイヤル、マウス、キーボード、タッチパネル、リモートコントローラなどがある。
出力装置３３は、記録装置３５の情報を出力する装置である。出力先の例としては、液晶ディスプレイモニタ、プラズマディスプレイモニタ、有機ＥＬディスプレイモニタ、ブラウン管モニタ、タッチパネルディスプレイモニタなどがある。なお、出力先のモニタは嗜好情報通信機器２と一体であっても良い。制御装置３４は、記録装置３５が保持している処理プログラムを実行し、機器全体の動作を制御する装置である。
【００１９】
記録装置３５は、嗜好情報管理処理部３５１、嗜好情報管理データベース３５２を有している。
嗜好情報管理処理部３５１は、嗜好情報収集処理全体の動作を制御する。処理の詳細については後述する。
【００２０】
嗜好情報管理データベース３５２は、利用者３の嗜好情報を保存する保存領域である。
嗜好情報測定装置３６は利用者の嗜好を測定する手段である。嗜好情報として行動履歴を収集する場合は、例えばＧＰＳ受信機を用いて位置情報（緯度、経度、高さ）などを測定する。ＧＰＳを用いた場合は、ＧＰＳと互換性のある信号を使う屋内測位技術であるＩＭＥＳ（indoor messaging system）の活用も可能で、屋外、屋内の位置情報をシームレスに測位できる利点がある。位置情報の測定には無線ＬＡＮのアクセス・ポイントを利用しても良い。この場合は、ＧＰＳよりも測位精度が低くなるが、広く普及しているため利用しやすい。また、通信装置３１の通信手段に無線ＬＡＮを用いた場合はハードウェア・モジュールを嗜好情報測定のために追加しなくても良い。
【００２１】
以下、図４を用いて本実施例における嗜好情報収集処理、および、番組推薦処理について説明する。
図４は、本発明の実施形態１における番組推薦処理の手順の一例を示すフロー図である。以下、図中のステップごとに処理手順を説明する。
図４の（ａ）は嗜好情報通信機器２の嗜好情報管理処理部３５１における嗜好情報収集処理の処理シーケンスである。
（Ｓ４０１）利用者の指示により嗜好情報の収集が指示されると、制御装置３４は嗜好情報管理処理部３５１に嗜好情報収集処理の開始を通知する。通知を受けた嗜好情報管理処理部３５１は嗜好情報測定装置３６による嗜好情報測定を開始させる。嗜好情報測定装置３６は嗜好情報管理処理部３５１により設定された測定時間間隔（n秒）毎に嗜好情報を測定し、嗜好情報管理処理部３５１に出力する。嗜好情報管理処理部３５１は取得した嗜好情報を嗜好情報管理データベース３５２に保存する。
【００２２】
（Ｓ４０２）さらに、嗜好情報管理処理部３５１は嗜好情報管理データベース３５２に保存した嗜好情報を、通信装置３１を用いてネットワーク４経由で番組推薦機器１へ送信する。
（Ｓ４０３）嗜好情報管理処理部３５１は測定時間間隔n秒の経過を待ち、所定の時間（n秒）の経過を判定した場合はＳ４０１に戻り、嗜好情報収集処理が終了するまで嗜好情報収集、送信を繰り返す。
【００２３】
図４の（ｂ）は番組推薦機器１における番組推薦処理の処理シーケンスである。
（Ｓ４０４）通信装置２１が嗜好情報通信機器２の送出した嗜好情報の受信を検知すると、制御装置２５は嗜好情報管理処理部２６１に番組推薦処理の開始を通知する。通知を受けた嗜好情報管理処理部２６１は受信した嗜好情報を嗜好情報管理データベース２６２に保存する。
【００２４】
（Ｓ４０５）続いて、嗜好情報変換処理部２６３は、嗜好情報管理データベース２６２に保存された嗜好情報から、推薦番組を抽出するためのキーワードを算出し、嗜好情報管理データベース２６２に記憶する。たとえば嗜好情報が利用者の行動履歴を示す位置情報（緯度、経度）であった場合、嗜好情報変換処理部２６３は位置情報を横浜市や東京都新宿区などの地名や、マリンタワー、東京都庁などの様なランドマークとなる建物名の情報などに変換する。Ｓ４０４、Ｓ４０５の処理は嗜好情報を受信する度、実行する。
【００２５】
（Ｓ４０６）利用者の操作などにより、推薦番組提示要求が発生すると番組管理処理部２６４は算出したキーワードを元に推薦番組の抽出処理を行う。例えば、放送番組の番組情報であるＳＩ（Ｓｅｒｖｉｃｅ  Ｉｎｆｏｒｍａｔｉｏｎ）情報の番組名、出演者、番組詳細情報に算出したキーワードが含まれる場合にその番組を推薦番組として抽出する。
【００２６】
（Ｓ４０７）Ｓ４０６で推薦番組が抽出された場合、嗜好情報管理処理部２６１が表示順番を番組管理処理部２６４へ通知する。通知を受けた番組管理処理部２６４は、推薦番組情報を提示する画面を生成し出力装置２４に出力し、利用者に提示する（Ｓ４０８）。一方、推薦番組が抽出されなかった場合は、推薦番組がないことを利用者に知らせる画面を生成し出力装置２４に出力する（Ｓ４０９）。
【００２７】
図５は、本発明の実施形態１における番組推薦機器１の表示の一例を示す図であり、番組管理処理部２６４が生成する番組情報を提示する画面の一例である。また図５は、番組推薦機器１がデジタル放送受信機の場合の表示例である。５１０は番組を表示する番組領域で、５２０が推薦番組を提示するＵＩ（Ｕｓｅｒ  Ｉｎｔｅｒｆａｃｅ）を表示するＵＩ領域である。番組領域５１０はＵＩ領域５２０が表示されていない時は、全画面にわたり表示される。破線で囲んだ領域５２１は番組管理処理部２６４が抽出した推薦番組一覧を表示する推薦番組表示領域である。図に示すように、推薦番組の選局番号（ＣＨ）と番組名の一覧を表示する。図では、選局番号１０１から１３１までの放送局の番組名のみが表示されているが、スクロールさせることで他の放送局の番組名も表示可能である。この例は、嗜好情報が利用者の行動履歴を示す位置情報で、嗜好情報変換処理部２６３が算出したキーワードが「渋谷」、「上野」、「川崎」、「東京」であった場合の例である。推薦番組表示領域５２１には、放送番組の番組情報の番組名で推薦番組を抽出した例を示している。図に示すように、抽出された推薦番組の番組名には算出されたキーワードの「渋谷」、「上野」、「川崎」、「東京」のうちのいずれかを含んでいる。
【００２８】
以上のように、本実施例では、利用者の外出先で収集した嗜好情報を元に、推薦番組を抽出するため、利用者の行動に関連する番組を推薦することができる。また、嗜好情報通信機器２は、利用者の嗜好情報を所定時間毎に番組推薦機器１へ送信するため嗜好情報を保存する嗜好情報管理データベース３５２の容量を少なくすることができる。
【実施例２】
【００２９】
本発明に係る実施形態２を、図６を用いて説明する。
実施形態１では外出先で収集した嗜好情報を外からネットワークを介して番組推薦機器１に送信していたが、実施形態２では、家に戻ってから家庭内で番組推薦機器１に嗜好情報を送信する点が異なる。
【００３０】
図６は、本発明の実施形態２における利用形態を示すブロック図である。１は本発明に係る番組推薦機器、２は嗜好情報通信機器である。嗜好情報通信機器２は利用者３により外出先に携帯され、その先々で利用者の嗜好情報を収集する。嗜好情報通信機器２は、利用者３の帰宅後、番組推薦機器１に接続し、収集した嗜好情報を番組推薦機器１に送信する。
【００３１】
番組推薦機器１および嗜好情報通信機器２の構成を示すブロック図は、実施例１で説明した図２および図３と同一であるため、説明を省略する。なお、実施例１では、家庭内の番組推薦機器１と、家庭外の嗜好情報通信機器２の通信であったため、通信装置２１と通信装置３１は無線ＬＡＮなどインターネットアクセスできる通信方式を用いたが、本実施例は、家庭内の通信であるので、有線通信だけでなく、Bluetooth、赤外線のような無線通信を用いても良い。通信装置として無線ＬＡＮを用いた場合は、実施例１と２を同時に実現できる利点がある。Bluetoothを用いた場合は室内であれば番組推薦機器１との間に遮蔽物があっても通信できる。赤外線を用いた場合は赤外線対応モジュールが広く普及しているため、番組推薦機器１と嗜好情報通信機器２の低コスト製造に貢献できる。
【００３２】
以下、本実施例における嗜好情報収集処理、および、番組推薦処理について説明する。
嗜好情報収集処理の処理は測定した嗜好情報を送信しない点が実施例１と異なる。図４の（ａ）のＳ４０１の後、Ｓ４０２の嗜好情報送信処理をしないでＳ４０３に進む。
【００３３】
嗜好情報通信機器２から番組推薦機器１への嗜好情報送信は、嗜好情報通信機器２が家庭内に戻った時に実行する。利用者の操作により明示的に指示して嗜好情報を送信しても良いし、嗜好情報通信機器２の家庭内ネットワークへの接続検知をトリガに自動で送信処理を開始してもよい。前者の場合は、嗜好情報通信機器２が家庭内のネットワークに戻ったことを検知する必要がなく、制御装置３４の機器制御処理を簡単にできる。後者の場合は、利用者が指示する必要がないため使い勝手が良くなる。
【００３４】
番組推薦機器１における番組推薦処理、および、推薦番組一覧の表示例は実施例１と同じであるため説明を省略する。
以上のように、嗜好情報通信機器２を持つ利用者３が、屋内へ移動後に番組推薦機器１へ嗜好情報を送信するため、利用者３の外出先で通信手段がない状況でも実施例１と同様の効果が得られる。
【実施例３】
【００３５】
本発明に係る実施形態３を、図７、図８、図９、図１０、図１１、図１２、図１３、図１４を用いて説明する。
実施形態３は、外出先で他の利用者の嗜好情報を収集し、収集した嗜好情報を外出先から家庭内にある番組推薦機器に送信する場合を想定している。
【００３６】
図７は、本発明の実施形態３における利用形態を示すブロック図である。１は本発明に係る番組推薦機器、２は利用者３の持つ嗜好情報通信機器である。５は３以外の利用者が持つ嗜好情報通信機器である。嗜好情報通信機器２は利用者３により外出先に携帯され、その先々で他の利用者が有する嗜好情報通信機器５と嗜好情報を交換する。嗜好情報通信機器２は利用者３の外出先からネットワーク４を介して番組推薦機器１に接続され、収集した嗜好情報通信機器５から得た嗜好情報を番組推薦機器１に送信する。番組推薦機器と嗜好情報通信機器の例は、実施例１の図１で説明した通りであるので説明を省略する。また、本実施例では嗜好情報通信機器５が１台として説明するが、複数台あっても２と５の間の交換処理は変わらない。
【００３７】
図８は、本発明の実施形態３における番組推薦機器１の一例を示すブロック図である。
本実施例の番組推薦機器１は、通信装置８１と、入力装置８２と、受信装置８３と、出力装置８４と、制御装置８５と、記録装置８６を有している。
通信装置８１から制御装置８５は、実施例１で示した図２の通信装置２１から制御装置２５と同様であるため、説明を省略する。なお、通信装置８１は、後に実施例７で述べる嗜好情報集約機器６とも通信を行うことができる。
【００３８】
記録装置８６は、嗜好情報管理処理部８６１、嗜好情報管理データベース８６２、嗜好情報変換処理部８６３、番組管理処理部８６４を有している。
嗜好情報管理処理部８６１、嗜好情報変換処理部８６３、番組管理処理部８６４は実施例１の図２で示した嗜好情報管理処理部２６１、嗜好情報変換処理部２６３、番組管理処理部２６４と同様であるため、説明を省略する。
嗜好情報管理データベース８６２は、利用者３および３以外の利用者の嗜好情報を保存する保存領域である。嗜好情報の保存例は図１１、図１３に示してあり、これらの説明は後述する。
【００３９】
図９は、本発明の実施形態３における嗜好情報通信機器２の一例を示すブロック図である。
本発明の嗜好情報通信機器２は、通信装置９１、端末間用通信装置９２、入力装置９３、出力装置９４、制御装置９５、記録装置９６、嗜好情報測定装置９７を有している。
通信装置９１は、利用者３が外出先でインターネットなどのネットワーク４を介して番組推薦機器１と通信を行い、また通信内容を制御装置９５に転送する装置である。なお、通信装置９１は、実施例７で述べる嗜好情報集約機器６とも通信を行うことができる。
端末間用通信装置９２は、利用者３が他の嗜好情報通信機器５と通信を行い、また通信内容を制御装置９５に転送する装置である。
【００４０】
通信装置９１の例としては、ホットスポットなどを使う無線ＬＡＮ（Local Area Network）や移動通信網による無線接続に対応したモジュールがある。ホットスポットを用いた場合は駅、空港、ホテルなどホットスポットを使えるエリアでの通信に限られるが、ホットスポットエリアで利用者が番組推薦機器１との通信開始を明示的に指示する場合は嗜好情報通信機器２の消費電力を節約できる。移動通信網を用いた場合は携帯電話のように通信エリアが広く高速移動中も通信可能であるため、嗜好情報通信機器２が収集した嗜好情報をリアルタイムで番組推薦機器１に送信できる。
【００４１】
端末間用通信装置９２の例としては、無線ＬＡＮ（Local Area Network）、Bluetooth、赤外線に対応したモジュールがある。通信手段として無線ＬＡＮを用いると、嗜好情報通信機器間、及び嗜好情報通信機器と番組推薦機器間の通信を同時に実現できる利点があり、嗜好情報通信機器製造時に小型化できる利点がある。Bluetoothを用いた場合は、無指向性かつ遮蔽物に依らないアドホック通信が可能となるため、通信基地局を設置しなくても嗜好情報通信機器間の通信が可能となる。赤外線を用いた場合は、通信基地局の設置が不要である上に、対応モジュールが広く普及しているため、端末間用通信装置９２を備えた嗜好情報通信機器２を低コストで製造できる利点がある。
【００４２】
入力装置９３、出力装置９４、制御装置９５、嗜好情報測定装置９７は、実施例１で説明した図３の入力装置３２、出力装置３３、制御装置３４、嗜好情報測定装置３６と同様であるため、説明を省略する。
記録装置９６は、嗜好情報管理処理部９６１、嗜好情報管理データベース９６２を有している。
【００４３】
嗜好情報管理処理部９６１は、実施例１の図３で示した嗜好情報管理処理部３５１と同一であるため処理を省略する。
嗜好情報管理データベース９６２は、利用者３および嗜好情報通信機器５が持つ嗜好情報を保存する保存領域である。
【００４４】
以下、図１０、図１１、図１２、図１３、図１４を用いて本実施例における嗜好情報登録・収集処理、および、番組推薦処理について説明する。
図１０は、本発明の実施形態３における利用者情報の登録処理の手順の一例を示すフロー図であり、特に嗜好情報通信機器２の嗜好情報管理処理部９６１における嗜好情報登録の処理シーケンスを示す。以下は、利用者３が嗜好情報通信機器２を買い換えたときに、自分の嗜好情報を再入力する手間を省く効果がある。利用者３が嗜好情報通信機器２へ嗜好情報を直接入力する場合は不要である。
【００４５】
（Ｓ１００１）（a）において、利用者の操作などにより、嗜好情報送信要求が発生すると、嗜好情報通信機器２の制御装置９５は嗜好情報管理処理部９６１に嗜好情報登録処理の開始を通知する。通知を受けた嗜好情報管理処理部９６１は、番組推薦機器１へ利用者３の嗜好情報を要求する。
（Ｓ１００２）（ｂ）において、番組推薦機器１の嗜好情報管理処理部８６１は、通信装置８１を用いてネットワーク４経由で番組推薦機器１の嗜好情報管理データベース８６２に登録されている利用者３の情報を嗜好情報通信機器２へ送信する。
（Ｓ１００３）（a）において、嗜好情報通信機器２が利用者３の情報の受信に成功した場合には（図中のＹｅｓ）、嗜好情報通信機器２の嗜好情報管理処理部９６１は、受信した嗜好情報を嗜好情報管理データベース９６２に登録し（Ｓ１００４）、受信成功を利用者３に知らせる画面を生成して出力装置９４に出力して（Ｓ１００５）、処理を終了する。
【００４６】
一方、（Ｓ１００３）（ａ）において、前記情報の受信に失敗した場合には（図中のＮｏ）、受信失敗を利用者３に知らせる画面を生成し、出力装置９４に出力する（Ｓ１００６）。
（Ｓ１００７）（a）において、利用者３が再度送信要求した場合（図中のＹｅｓ）、Ｓ１００１の処理を再度実行する。一方、利用者が送信要求しなかった場合は（図中のＮｏ）、処理を終了する。
【００４７】
図１１は、本発明の実施形態３における第１の嗜好情報管理データベース８６２及び９６２の一例を示す図であり、ここには利用者３の嗜好情報が保存されている。属性情報としては、「行動履歴」、「よくみる番組」、「好きな服のブランド名」などが保存可能であり、例えば「よくみる番組」には利用者がよくみる番組名がテキストで保存されている。各属性情報については公開／非公開が可能である。公開に設定された属性情報は他の嗜好情報通信機器５との嗜好情報交換処理の際、送信されるが、非公開に設定した情報は他の嗜好情報通信機器５との嗜好情報交換処理の際、送信されない。
【００４８】
また、図に属性情報の例をいくつか示したが、記載されている以外の属性情報を用いても本発明の効果は変わらない。例えば図１１では、「よくみる番組名」、「好きな服のブランド名」などの属性情報を示したが、「好きな観光地」、「よくみる番組の出演者」など、これ以外の属性情報を示してもよい。
【００４９】
図１２は、本発明の実施形態３における嗜好情報通信機器２が他の嗜好情報通信機器５と嗜好情報を送受信する際の処理手順の一例を示すフロー図である。尚、嗜好情報通信機器５が行う処理は嗜好情報通信機器２が行う処理と対であるため、図示と説明を省略する。
（Ｓ１２０１）嗜好情報通信機器２の端末間用通信装置９２が、通信可能圏内に他の嗜好情報通信機器５の存在を検出すると、嗜好情報通信機器５に通信の可否と機器情報を要求する。
（Ｓ１２０２）嗜好情報通信機器５からの受信処理の成否を確認し、受信処理に失敗したら処理を終了する（図中のＮｏ）。これは嗜好情報通信機器２を所持する利用者３が移動する環境下で、嗜好情報通信機器同士が常に嗜好情報を交換することを想定するためである。
【００５０】
（Ｓ１２０３）Ｓ１２０２で受信処理に成功した場合（図中のＹｅｓ）、嗜好情報通信機器２の嗜好情報管理処理部９６１が、嗜好情報管理データベース９６２を参照し、嗜好情報通信機器５の機器情報および受信処理に成功した時刻から、所定時間内（例えば１日以内）に嗜好情報を嗜好情報通信機器５に登録済みか判断する。所定時間内に登録済みであれば（図中のＹｅｓ）、処理を終了する。
（Ｓ１２０４）Ｓ１２０３で所定時間内に未登録の場合（図中のＮｏ）、嗜好情報通信機器２の嗜好情報管理処理部９６１は、嗜好情報管理データベース９６２に格納されている利用者３の嗜好情報を、通信装置９１を用いて嗜好情報通信機器５に送信する。
【００５１】
（Ｓ１２０５）嗜好情報通信機器２の通信装置９１が、嗜好情報通信機器５から通知を受けると、制御装置９５は嗜好情報管理処理部９６１に嗜好情報受信処理の開始を通知する。通知を受けた嗜好女王管理処理部９６１は、嗜好情報通信機器５から嗜好情報を受信する。
（Ｓ１２０６）受信処理に失敗した場合（図中のＮｏ）、処理を終了する。
一方、受信処理に成功した場合（図中のＹｅｓ）、嗜好情報通信機器２の嗜好情報管理処理部９６１は、受信した嗜好情報を嗜好情報管理データベース９６２に保存し(Ｓ１２０７)、処理を終了する。
【００５２】
図１３は、本発明の実施形態３における第２の嗜好情報管理データベース８６２及び９６２の一例を示す図であり、ここには利用者３以外、即ち他の利用者の嗜好情報が保存されている。また、実施例７で述べる嗜好情報集約機器６においても、同様な嗜好情報管理データベースを有しても良い。嗜好情報機器２および５の通信時に交換する機器情報を利用し、各嗜好情報が識別されている。機器情報の例としては、ＭＡＣアドレスなどがある。ＭＡＣアドレスを用いる場合、機器固有番号であるため、機器の識別が一意に可能となる利点がある。
非公開設定された属性情報を含む嗜好情報が保存されると、図１３において、機器情報CC：DD：EE：FF：GG：HHの嗜好情報通信機器５では、「好きな服のブランド名」のように、「非公開のため表示なし」のように表示される。
また、図に属性情報の例をいくつか示したが、記載されている以外の属性情報を用いても本発明の効果は変わらない。例えば図１３では、「取得場所」、「よくみる番組名」などの属性情報を示したが、「好きな観光地」、「よくみる番組の出演者」など、これ以外の属性情報を示してもよい。
【００５３】
図１４は、本発明の実施例３における番組推薦処理の手順の一例を示すフロー図である。
図１４の（a）は、嗜好情報通信機器２の嗜好情報管理処理部９６１における嗜好情報収集処理の処理シーケンスである。
（Ｓ１４０１）図１０のＳ１００１からＳ１００５までの処理シーケンスと同じであるため説明を省略する。
Ｓ１４０２からＳ１４０４は実施例１の図４で示したＳ４０２からＳ４０４と同じであるため説明を省略する。このうちＳ１４０３では、嗜好情報通信機器２から番組推薦機器１へ嗜好情報が送信される。送信される嗜好情報には、他の嗜好情報通信機器５から供給された嗜好情報も含まれる。
【００５４】
図１４の（ｂ）は、番組推薦機器１における番組推薦処理の処理シーケンスである。
（Ｓ１４０５）通信装置８１が嗜好情報通信機器２の送出した嗜好情報の受信を検知すると、制御装置８４は嗜好情報管理処理部８６１に番組推薦処理の開始を通知する。通知を受けた嗜好情報管理処理部８６１は受信した嗜好情報を嗜好情報管理データベース８６２に保存する。
（Ｓ１４０６）続いて、嗜好情報変換処理部８６３は、嗜好情報管理データベース８６２に保存された嗜好情報から、推薦番組を抽出するための共通キーワードを算出し、嗜好情報管理データベース８６２に記憶する。
【００５５】
（Ｓ１４０７）利用者の操作などにより、推薦番組提示要求が発生すると番組管理処理部８６４は算出したキーワードを元に推薦番組の抽出処理を行う。例えば、放送番組の番組情報であるＳＩ（Ｓｅｒｖｉｃｅ  Ｉｎｆｏｒｍａｔｉｏｎ）情報の番組名、出演者、番組詳細情報に算出したキーワードが含まれる場合にその番組を推薦番組として抽出する。
【００５６】
（Ｓ１４０８）Ｓ１４０５で推薦番組が抽出された場合（図中のＹｅｓ）、嗜好情報管理処理部８６１が表示順番を番組管理処理部８６４へ通知する。通知を受けた番組管理処理部８６４は、推薦番組情報を提示する画面を生成し出力装置８４に出力し、利用者３に提示して（Ｓ１４０９）、処理を終了する。一方、推薦番組が抽出されなかった場合は（図中のＮｏ）、推薦番組がないことを利用者に知らせる画面を生成し、出力装置８４に出力して（Ｓ１４１０）、処理を終了する。
【００５７】
以下に、嗜好情報管理データベース８６２の例として図１３を用いて、嗜好情報変換処理部８６３が行う共通キーワードの抽出基準を説明する。図１３では、関心あるイベントとして、機器情報AA：BB：CC：DD：EE：FFの嗜好情報通信機器を持つ他の利用者と、機器情報CC：DD：EE：FF：GG：HHの嗜好情報通信機器を持つ他の利用者が、「東京ビアパラダイス」を入力している。また図１１で示したように、利用者３も「東京ビアパラダイス」を入力している。この場合、嗜好情報変換処理部８６３は、「東京ビアパラダイス」を共通キーワードと決定する。尚、共通キーワードとは同じ文字列、文字数の単語であるだけでなく、「ワールドカップ特集」、「ワールドカップ総集編」であれば「ワールドカップ」など、単語の一部が共通する場合でもよい。Ｓ１４０５、Ｓ１４０６の処理は嗜好情報を受信する度、実行する。
【００５８】
また、本実施例における推薦番組一覧のテレビへの表示例は、実施例１と同様に図５で示されるため説明を省略する。
以上のように、本実施例では、利用者の外出先で収集した他者の嗜好情報を元に、推薦番組を抽出するため、利用者の周囲で関心が高いキーワードに関連する番組を推薦することができる。また、嗜好情報通信機器２は、利用者の嗜好情報を取得毎に番組推薦機器１へ送信するため、嗜好情報を保存する嗜好情報管理データベース９６２の容量を少なくできる。
【実施例４】
【００５９】
本発明に係る実施形態４を、図１５を用いて説明する。
実施形態３では外出先で他の嗜好情報通信機器５から収集した嗜好情報を、外からネットワーク４を介して番組推薦機器１に送信していたが、実施形態４では、家に戻ってから家庭内で番組推薦機器１に嗜好情報を送信する点が異なる。
【００６０】
図１５は、本発明の実施形態４における利用形態を示すブロック図である。１は本発明に係る番組推薦機器、２は利用者３の持つ嗜好情報通信機器である。５は３以外の利用者が持つ嗜好情報通信機器である。嗜好情報通信機器２は利用者３により外出先に携帯され、その先々で嗜好情報通信機器５から嗜好情報を収集する。嗜好情報通信機器２は、利用者３の帰宅後、番組推薦機器１に接続し収集した嗜好情報を番組推薦機器１に送信する。
番組推薦機器１および嗜好情報通信機器２の例は、実施例１の図１と同一であるため説明を省略する。
番組推薦機器１および嗜好情報通信機器２の構成を示すブロック図は、実施例３で説明した図８および図９と同一であるため、説明を省略する。
【００６１】
以下、本実施例における嗜好情報登録・収集処理、および、番組推薦処理について説明する。嗜好情報収集処理の処理は、収集した嗜好情報をネットワーク４経由では送信しない点が実施例３と異なる。図１４のＳ１４０２の後、Ｓ１４０３の処理をしないでS１４０５に進む。
嗜好情報通信機器２から番組推薦機器１への嗜好情報送信処理以降は、実施例２と同じであるため説明を省略する。
番組推薦機器１における番組推薦処理、および、推薦番組一覧の表示例は実施例３と同じであるため説明を省略する。
以上のように、嗜好情報通信機器２を持つ利用者３が、屋内へ移動後に番組推薦機器１へ嗜好情報を送信するため、利用者３の外出先で通信手段がない状況でも実施例３と同様の効果が得られる。
【実施例５】
【００６２】
本発明に係る実施形態５を、図１６を用いて説明する。
実施形態５は、外出先で他の利用者の嗜好情報を収集し、収集した嗜好情報を外出先から家庭内にある番組推薦機器に送信する場合を想定している。
本実施例のシステム構成は、実施例３で説明済みの図７と同一であるため、説明を省略する。番組推薦機器１および嗜好情報通信機器２の構成を示すブロック図は、実施例３で説明した図８および図９と同一であるため、説明を省略する。
【００６３】
図１６は、本発明の実施形態５における番組推薦処理の手順の一例を示すフロー図である。以下、本実施例における嗜好情報登録・収集処理、および、番組推薦処理について説明する。
図１６の（a）は、嗜好情報通信機器２における嗜好情報収集処理の処理シーケンスである。
Ｓ１６０１からＳ１６０４は、図１４のＳ１４０１からＳ１４０４と同じであるため説明を省略する。
【００６４】
図１６の（ｂ）は番組推薦機器１における番組推薦処理の処理シーケンスである。
（S１６０５）通信装置８１が嗜好情報通信機器２の送出した嗜好情報の受信を検知すると、制御装置８４は嗜好情報管理処理部８６１に番組推薦処理の開始を通知する。通知を受けた嗜好情報管理処理部８６１は受信した嗜好情報を嗜好情報管理データベース８６２に保存する。
（S１６０６）続いて、嗜好情報変換処理部８６３は、嗜好情報管理データベース８６２に保存された嗜好情報から、利用者の嗜好情報と所定数の属性情報が一致する嗜好情報を抽出し、その嗜好情報が持つ「よくみる番組名」を抽出し、嗜好情報管理データベース８６２に記憶する。
【００６５】
（Ｓ１６０７）利用者の操作などにより、推薦番組提示要求が発生すると番組管理処理部８６４は抽出した番組名を元に推薦番組の抽出処理を行う。例えば、放送番組の番組情報であるＳＩ（Ｓｅｒｖｉｃｅ  Ｉｎｆｏｒｍａｔｉｏｎ）情報の番組名、出演者、番組詳細情報に算出したキーワードが含まれる場合にその番組を推薦番組として抽出する。
（Ｓ１６０８）Ｓ１６０７で推薦番組が抽出された場合（図中のＹｅｓ）、嗜好情報管理処理部８６１が表示順番を番組管理処理部８６４へ通知する。通知を受けた番組管理処理部８６４は、推薦番組情報を提示する画面を生成し出力装置８４に出力し、利用者に提示して（Ｓ１６０９）、処理を終了する。一方、推薦番組が抽出されなかった場合は（図中のＮｏ）、推薦番組がないことを利用者に知らせる画面を生成し出力装置８４に出力して（Ｓ１６１０）、処理を終了する。
以下では、嗜好情報管理データベース８６２として図１１、図１３を用いて、Ｓ１６０６における所定数が３の場合にて推薦基準を説明する。
【００６６】
図１１、図１３の例では、利用者と、機器情報AA：BB：CC：DD：EE：FFの機器を持つ他の利用者の嗜好情報を比較すると、「好きな服のブランド名」、「好きな食べ物」、「関心あるイベント」の３つの属性情報が一致している。この場合、嗜好情報変換処理部８６３は、利用者と、機器情報AA：BB：CC：DD：EE：FFの機器を持つ他の利用者は類似人物と判断し、機器情報AA：BB：CC：DD：EE：FFの機器を持つ他の利用者がよくみる番組「クラシックコンサート」を抽出する。尚、類似の基準は同じ文字列、文字数の単語であるだけでなく、「ワールドカップ特集」、「ワールドカップ総集編」であれば、「ワールドカップ」など、単語の一部が共通する場合も類似とみなしてよい。Ｓ１６０４、Ｓ１６０５の処理は嗜好情報を受信する度、実行する。
また、本実施例における推薦番組一覧のテレビへの表示例は、実施例１と同様に図５で示されるため説明を省略する。
以上のように、本実施例では、利用者３の外出先で収集した他者の嗜好情報を元に、推薦番組を抽出するため、利用者３と嗜好が類似している他者の視聴番組を提案することができる。また、嗜好情報通信機器２は、利用者３の嗜好情報を取得毎に番組推薦機器１へ送信するため嗜好情報を保存する嗜好情報管理データベース９６２の容量を少なくできる。
【実施例６】
【００６７】
本発明に係る実施形態６を説明する。
実施形態５では外出先で他の嗜好情報通信機器から収集した嗜好情報を、外からネットワークを介して番組推薦機器に送信していたが、実施形態６では、家に戻ってから家庭内で番組推薦機器に嗜好情報を送信する点が異なる。
本実施例のシステム構成は、実施例４で説明済みの図１５と同一であるため、説明を省略する。番組推薦機器１および嗜好情報通信機器２の構成を示すブロック図は、実施例３で説明した図８および図９と同一であるため、説明を省略する。
【００６８】
本実施例における嗜好情報登録・収集処理、および、番組推薦処理については、実施例５で示した図１６と同様であるが、Ｓ１６０２の後、Ｓ１６０３の処理をしないでＳ１６０５に進む点が異なる。
嗜好情報通信機器２から番組推薦機器１への嗜好情報送信は、嗜好情報通信機器２が家庭内に戻った時に実行する。利用者の操作により明示的に指示して嗜好情報を送信しても良いし、嗜好情報通信機器２が家庭内ネットワークへの接続検知をトリガに自動で送信処理を開始してもよい。前者の場合は、嗜好情報通信機器２が家庭内のネットワークに戻ったことを検知する必要がなく、制御装置９５の機器制御処理を簡単にできる。後者の場合は、利用者が指示する必要がないため使い勝手が良くなる。
番組推薦機器１における番組推薦処理、および、推薦番組一覧の表示例は実施例５と同じであるため説明を省略する。
以上のように、嗜好情報通信機器２を持つ利用者３が、屋内へ移動後に番組推薦機器１へ嗜好情報を送信するため、利用者３の外出先で通信手段がない状況でも実施例５と同一の効果が得られる。
【実施例７】
【００６９】
本発明に係る実施形態７を、図１７、図１８、図１９を用いて説明する。
実施形態７は、外出先で他の利用者の嗜好情報を収集し、収集した嗜好情報を外出先から嗜好情報集約機器に送信する場合を想定している。
【００７０】
図１７は、本発明の実施形態７における利用形態を示すブロック図である。
１は本発明に係る番組推薦機器、２は利用者３の持つ嗜好情報通信機器である。５は３以外の利用者が持つ嗜好情報通信機器である。嗜好情報通信機器２は利用者３により外出先に携帯され、その先々で嗜好情報通信機器５と嗜好情報を交換する。嗜好情報通信機器２は利用者３の外出先からネットワーク４を介して嗜好情報集約機器６に接続され、収集した嗜好情報通信機器５の持つ嗜好情報を嗜好情報集約機器６に送信する。また、本実施例では嗜好情報通信機器５が１台として説明するが、複数台あっても２と５の交換処理は変わらない。
番組推薦機器１および嗜好情報通信機器２の構成を示すブロック図は、実施例３で説明した図８および図９と同一であるため、説明を省略する。
【００７１】
図１８は、本発明の実施形態７における嗜好情報集約機器６の一例を示すブロック図である。
本実施例の嗜好情報集約機器６は、通信装置１８１と、入力装置１８２と、出力装置１８３と、制御装置１８４と、記録装置１８５を有している。
【００７２】
通信装置１８１は、インターネットなどのネットワーク４を介して嗜好情報通信機器２や番組推薦機器１と通信を行い、また通信内容を制御装置１８４に転送する装置である。ネットワーク４への接続手段は、無線ＬＡＮ（Local Area Network）、移動通信網による無線接続、あるいは、有線接続を用いる。無線ＬＡＮ、移動通信網による無線接続を用いた場合は、通信エリア内であれば、嗜好情報集約機器６を自由に設置できる。通信方式の例としては、ＵＳＢ(Universal Serial Bus)、IEEE1394、イーサネット（登録商標）、無線ＬＡＮ(Local Area Network)、Bluetooth、赤外線などがある。通信内容の例としては、嗜好情報から抽出したキーワードがある。
入力装置１８２は、嗜好情報集約機器６の管理者が嗜好情報集約機器６を操作するインタフェースである。入力装置１８２の例としては、ボタン、スイッチ、ダイヤル、マウス、キーボード、タッチパネル、リモートコントローラなどがある。
【００７３】
出力装置１８３は、嗜好情報集約機器６の管理情報を出力する装置である。出力先の例としては、ブラウン管モニタ、液晶ディスプレイモニタ、プラズマディスプレイモニタ、有機ＥＬディスプレイモニタ、タッチパネルディスプレイモニタなどがある。出力先は嗜好情報集約機器本体でもよいが、通信装置１８１を介して別の機器に出力してもよい。別の機器に出力した場合、嗜好情報集約機器６を設置した場所以外でも出力内容を確認できる。そのため、嗜好情報集約機器６の管理者の管理効率上昇に貢献できる。
【００７４】
制御装置１８４は、通信装置１８１から受けた通信内容を記録装置１８５へ保存する。また、記録装置１８５が保持している処理プログラムを実行し、機器全体の動作を制御する装置である。
記録装置１８５は、嗜好情報管理処理部１８５１、嗜好情報管理データベース１８５２、嗜好情報比較処理部１８５３を有している。
嗜好情報管理処理部１８５１は、嗜好情報を嗜好情報管理データベース１８５２に保存し、管理する処理部である。
嗜好情報管理データベース１８５２は、複数の嗜好情報通信機器利用者が送信した嗜好情報を保存する保存領域である。
嗜好情報比較処理部１８５３は、指定条件で嗜好情報管理データベース１８５３の全データを比較し、条件に合うキーワードを抽出する比較処理部である。
【００７５】
図１９は、本発明の実施形態７における番組推薦処理の手順の一例を示すフロー図である。以下、本実施例における嗜好情報収集処理、および、番組推薦処理について説明する。
図１９の（ａ）は嗜好情報通信機器２における嗜好情報収集処理の処理シーケンスである。
（Ｓ１９０１）図１０のＳ１００１からＳ１００５までの処理シーケンスと同じであるため説明を省略する。
【００７６】
（Ｓ１９０２）図１２のＳ１２０１からＳ１２０５までの処理シーケンスと同じであるため説明を省略する。利用者などの操作により嗜好情報送信要求が来るまで、嗜好情報収集、送信を繰り返す。
（Ｓ１９０３）利用者の操作などにより、嗜好情報送信要求が発生すると嗜好情報管理処理部９６１は嗜好情報管理データベース９６２に保存した嗜好情報を、通信装置９１を用いて嗜好情報集約機器６へ送信する。
【００７７】
図１９の（ｂ）は嗜好情報集約機器６における嗜好情報収集処理の処理シーケンスである。
（Ｓ１９０４）通信装置１８１が嗜好情報通信機器２の送出した嗜好情報の受信を検知すると、制御装置１８４は嗜好情報管理処理部１８５１に嗜好情報保存の開始を通知する。通知を受けた嗜好情報管理処理部１８５１は、受信した嗜好情報を嗜好情報管理データベース１８５２に保存する。尚、嗜好情報集約機器６と接続されている嗜好情報通信機器が複数台あっても嗜好情報通信機器２と嗜好情報集約機器５の交換処理は変わらない。
【００７８】
（Ｓ１９０５）続いて、嗜好情報比較処理部１８５３が、嗜好情報管理データベース１８５２の全データを比較し、所定人数以上の嗜好情報に共通する属性情報の有無を調べる。尚、所定人数は何人であってもよいが、以下では、３人として説明する。
（Ｓ１９０６）Ｓ１９０５にて、３人以上から共通する属性情報を取得した場合（図中のＹｅｓ）、嗜好情報比較処理部１８５３が、各嗜好情報を比較し、共通キーワードの上位m個を抽出する。
（Ｓ１９０７）Ｓ１９０５にて、３人未満から共通する詳細情報を取得した場合（図中のＮｏ）、嗜好情報比較処理部１８５３が、共通キーワードなしと判断する。
（Ｓ１９０８）嗜好情報管理処理部１８５１は、Ｓ１９０６で抽出した共通キーワードを、通信装置１８１を用いて番組推薦機器１へ送信する。
【００７９】
以下では嗜好情報管理データベース１８５２として図１３を用いて、Ｓ１９０６におけるｍ＝２の場合にて推薦基準を説明する。
図１３の例では、属性情報の「関心あるイベント」の全て（３人）の詳細情報に「東京」というキーワードが含まれている。この場合、嗜好情報比較処理部１８５３は、「東京」を共通キーワードの１位と決定する。続いて、属性情報の「よくみる番組」では、二つの詳細情報に「日本の歴史」というキーワードが含まれている。この場合、嗜好情報比較処理部１８５３は、「日本の歴史」を共通キーワードの２位と決定する。これにより、ｍ＝２個の共通キーワードが決定される。
尚、本実施例で示したように、共通キーワードとは、部分一致でも完全一致であってもよい。部分一致の場合は、共通キーワードを抽出しやすくなる。完全一致の場合は、正確な共通キーワードを抽出できる。
【００８０】
図１９の（ｃ）は番組推薦機器１における番組推薦処理の処理シーケンスである。
（Ｓ１９０９）通信装置８１が嗜好情報集約機器６の送出した共通キーワードの受信を検知すると、制御装置８４は嗜好情報管理処理部８６１に番組推薦処理の開始を通知する。通知を受けた嗜好情報管理処理部８６１は受信した共通キーワードを嗜好情報管理データベース８６２に保存する。
（Ｓ１９１０）利用者の操作などにより、推薦番組提示要求が発生すると番組管理処理部８６４は算出したキーワードを元に推薦番組の抽出処理を行う。例えば、放送番組の番組情報であるＳＩ（Ｓｅｒｖｉｃｅ  Ｉｎｆｏｒｍａｔｉｏｎ）情報の番組名、出演者、番組詳細情報に算出したキーワードが含まれる場合にその番組を推薦番組として抽出する。
【００８１】
（Ｓ１９１１）Ｓ１９１０で推薦番組が抽出された場合（図中のＹｅｓ）、嗜好情報管理処理部８６１が表示順番を番組管理処理部８６４へ通知する。通知を受けた番組管理処理部８６４は、推薦番組情報を提示する画面を生成し出力装置８４に出力し、利用者に提示して（Ｓ１９１２）、処理を終了する。一方、推薦番組が抽出されなかった場合は（図中のＮｏ）、推薦番組がないことを利用者に知らせる画面を生成し出力装置８４に出力して（Ｓ１９１３）、処理を終了する。
また、本実施例における推薦番組一覧のテレビへの表示例は、実施例１と同様に図５で示されるため説明を省略する。
【００８２】
以上のように、本実施例では、利用者の外出先で収集した他者の嗜好情報を嗜好情報集約機器６へ集約し嗜好情報集約機器６でキーワードを抽出するため、嗜好情報通信機器２および５の利用者の関心が高いキーワードの上位に関連する番組を推薦することができる。また、嗜好情報通信機器２におけるキーワードの抽出に係る負荷を軽減することができる。
これまで説明した実施形態は各々が一例であって、本発明を限定するものではない。各機器のブロック図、利用形態に係るシステム構成図、及び処理手順のフロー図について、変更を加えた例を考えることができるが、いずれも本発明の範疇にある。
【符号の説明】
【００８３】
１：番組推薦機器、２：嗜好情報通信機器、３：利用者、４：ネットワーク、５：嗜好情報通信機器、６：嗜好情報集約機器、２１：通信装置、２２：入力装置、２３：受信装置、２４：出力装置、２５：制御装置、２６：記録装置、３１：通信装置、３２：入力装置、３３：出力装置、３４：制御装置、３５：記録装置、３６：嗜好情報測定装置、８１：通信装置、８２：入力装置、８３：受信装置、８４：出力装置、８５：制御装置、８６：記録装置、９１：通信装置、９２：端末間通信装置、９３：入力装置、９４：出力装置、９５：制御装置、９６：記録装置、９７：嗜好情報測定装置、１８１：通信装置、１８２：入力装置、１８３：出力装置、１８４：制御装置、１８５：記録装置。
【図１】
0005603221.tif 000002
【図２】
0005603221.tif 000003
【図３】
0005603221.tif 000004
【図４】
0005603221.tif 000005
【図５】
0005603221.tif 000006
【図６】
0005603221.tif 000007
【図７】
0005603221.tif 000008
【図８】
0005603221.tif 000009
【図９】
0005603221.tif 000010
【図１０】
0005603221.tif 000011
【図１１】
0005603221.tif 000012
【図１２】
0005603221.tif 000013
【図１３】
0005603221.tif 000014
【図１４】
0005603221.tif 000015
【図１５】
0005603221.tif 000016
【図１６】
0005603221.tif 000017
【図１７】
0005603221.tif 000018
【図１８】
0005603221.tif 000019
【図１９】
0005603221.tif 000020